(57)【特許請求の範囲】
【請求項１】
先端同士が略接触する状態に近接対向された一対の弾性を有するブラシ体と、これらブラシ体を支持する支持体とを備え、各ブラシ体の先端同士の間に、端子が接続された電線端末を保持することのできる保持溝が形成され、上記一対のブラシ体の少なくとも一部の先端は互いに他側に入り込んでいることを特徴とする布線用電線の仮保持具。
【発明の詳細な説明】
【０００１】
【発明の属する技術分野】
本発明は、電線群を組立図板上の布線治具に布線してワイヤーハーネスを成形する場合に、布線された電線の端末とコネクタとの接続を容易にするために、その電線端末の姿勢を整えて仮保持するのに使用する布線用電線の仮保持具に関するものである。
【０００２】
【従来の技術と発明が解決しようとする課題】
電線群を布線してワイヤーハーネスを成形する場合には、実開昭６２−１３６０１５号公報等に示されるように、Ｕ字状の電線受部を有する布線治具が用いられている。即ち、組立図板上に設けた布線治具によって所要形態の電線束が形成され、その電線束の電線端末の端子にコネクタが接続される等の加工がなされてワイヤーハーネスが成形される。
【０００３】
そして、上記電線群の端子を共通のコネクタに能率良く装着するためには、電線端末の姿勢を、コネクタ側の端子収容室の配列に対応させて、整列保持すると共に、コネクタ接続後は、その整列保持姿勢を速やかに解除する作業が必要となる。
そこで、従来、上記の仮保持具として、図５に示すように、Ｕ字状の金具９０に取り付けたゴム板９１に形成した切込部９２によって保持溝９３を設けるようにし、電線端末の端子９４を、上方から保持溝９３に導入して仮保持するものが提供されている（実開平５−６５０１５号公報参照）。
【０００４】
しかしながら、上記の仮保持具では、保持溝９３に沿ってゴム板９１が連続しているため、保持溝９３に沿うゴム板９１の一部が変形すると、これが他の部分にまで影響する。即ち、図５に示すように、保持溝９３に１本の電線端末を保持させている場合、電線端末を保持している部分９５だけでなく、その前後の部分９６，９７まで保持溝９３が拡がってしまう。
【０００５】
このため、複数の電線端末を保持した場合に、保持が不確実となっていた。そして、保持した複数の電線端末の中から一部の電線端末を取り外そうとすると、他の電線端末が連なって外れてしまうことがあった。
また、上記のように、ゴム板の一部の変形が他の部分まで影響するので、ゴム板全体としての応力負荷の繰り返し回数が多くなり、ゴム板が早期に劣化して、所期の保持性能を維持できなくなるという、耐久上の問題もあった。
【０００６】
一方、上記実開平５−６５０１５号公報には、保持溝を形成するＵ字状の保持枠を、中空構造体として、内部にエアを封入し弾力性を持たせたものも開示されているが、中空構造体が破損する等、耐久上の問題があった。
そこで、本発明の目的は、耐久性に優れ、しかも、複数の電線を保持した場合にも、保持が確実であって且つ一部の電線のみを取り外すことができる布線用電線の仮保持具を提供することである。
【０００７】
【課題を解決するための手段】
上記目的を達成するため、本発明では、先端同士が略接触する状態に近接対向された一対の弾性を有するブラシ体と、これらブラシ体を支持する支持体とを備え、各ブラシ体の先端同士の間に、端子が接続された電線端末を保持することのできる保持溝が形成され、上記一対のブラシ体の少なくとも一部の先端は互いに他側に入り込んでいることを特徴とするものである。
【０００８】
上記構成では、保持溝に１本の電線端末を保持した場合、この電線端末を保持した部分を除いて、ブラシ体が変形することがない。したがって、複数の電線端末を保持した場合にも、保持が確実である。また、保持した複数の電線端末の中から、一部の電線端末のみを取り外そうとする場合にも、他の電線端末が連られて外れてしまうようなことがない。また、ブラシ体は電線端末を保持した部分のみが変形されるので、ゴム板を用いた従来の場合と比較して、ブラシ体全体としての変形頻度が少なくなり、耐久性が向上する。
【０００９】
また、上記一対のブラシ体の先端は互いに他側に入り込んでいるので、電線端末の保持がより確実となる。
なお、本構成の仮保持具であれば、布線された電線群の分岐部分を保持する保持具としても利用でき、この場合にも、保持を確実とすることができると共に、耐久性が向上する。
【００１０】
【発明の実施の形態】
本発明の実施形態を添付図面を参照しつつ説明する。
図１は本発明の一実施形態に係る布線用電線の仮保持具の分解斜視図であり、同図を参照して、本仮保持具Ａは、布線板１上に固定されるベース２と、このベース２の上端に固定される支持体としてのフォーク３と、このフォーク３の一対の対向アーム４，５にそれぞれに植え付けられた一対の弾性を有するブラシ体６，７とを有している。
【００１１】
本仮保持具Ａは、図２に示すように布線板１上に複数の電線３０を布線してワイヤーハーネスを形成する場合に、電線端末３１の端子３２や、電線端末３１のコネクタ３３近傍の電線束３４を保持したりする。図２において右側の仮保持具Ａのように複数の電線端末３１を保持する場合には、コネクタに能率良く装着するために、電線端末３１の姿勢を、コネクタ側の端子収容室の配列に対応させて、整列保持する。
【００１２】
ベース２は、フランジ付きボルト８の頭部９にシャフト１０を一体に設け、このシャフト１０に上方に開口するねじ孔１１を形成したものである。上記のフランジ付きボルト８が布線板１を下方へ貫通してナット１２と締結されることにより、ベース２が布線板１に固定される。
フォーク３は、上記ベース２のねじ孔１１にねじ込まれるねじ棒１３と、このねじ棒１３の上端に溶接により固定された横バー１４と、この横バー１４上に溶接により固定された上記対向アーム４，５とを有している。１５はねじ棒１３にねじ込まれるロックナットである。
【００１３】
図３は本仮保持具が複数の電線端末を保持した状態を示す要部拡大図である。同図を参照して、上記一対の対向アーム４，５の対向面４ａ，５ａに、それぞれブラシ体６，７が植え付けられており、ブラシ体６，７の先端１６，１７同士は、図４に示すように、互いに他方のブラシ体の側へ入り込んでいる。そして、これらブラシ体６，７の先端１６，１７同士の間に、電線端末３１の端子３２を挿入すると、上記先端１６，１７同士の間に端子３２ａ，３２ｂ，３２ｃを保持するための保持溝１８が形成されることになる。
【００１４】
ブラシ体６，７の材質としては、電線端末３１の保持に適した柔軟性や弾性を持ち合わせたものが好ましく、スチール繊維の他、ポリアミド繊維その他の樹脂繊維を用いることもできる。ブラシ体６，７として樹脂繊維を用いる場合には、対向アーム４，５との接合強度を強くするために、対向アーム４，５も樹脂で形成することが好ましい。
【００１５】
図３を参照して、保持溝１８に複数の電線端末の端子３２ａ，３２ｂ，３２ｃを保持した場合、１の端子３２ａを保持しているブラシ体６，７の部分６ａ，７ａは、他の端子３２ｂを保持しているブラシ体６，７の部分６ｂ，７ｂの変形の影響を全く受けていない。したがって、各電線端末の端子３２ａ〜３２ｃの保持が確実となる。また、保持した複数の電線端末の端子３２ａ〜３２ｃの中から、例えば、一の端子３２ａのみを取り外そうとする場合にも、他の電線端末の端子３２ｂ，３２ｃが連られて外れてしまうようなことがない。
【００１６】
また、上記のようにブラシ体６，７は、電線端末３１を保持した部分のみが変形されるので、ゴム板を用いた従来の場合と比較して、ブラシ体６，７全体としての変形頻度が少なくなり、耐久性が向上する。
【００１７】
また、上記各実施形態の仮保持具は、布線された電線群の分岐部分等を保持する保持具としても適用でき、この場合にも、保持を確実としまた耐久性を向上することができる。
なお、本発明は上記各実施形態に限定されるものではなく、本発明の範囲で種々の設計変更を施すことができる。
【００１８】
【発明の効果】
本発明では、ブラシ体を用いて保持溝を形成したので、複数の電線端末を保持した場合にも保持が確実であり、また、保持した複数の電線端末の中から、一部の電線端末を取り外す際に、他の電線端末が連られて外れてしまうようなことがない。さらに、ブラシ体は電線端末を保持した部分のみが変形されるので、ゴム板を用いた従来の場合と比較して、ブラシ体全体としての変形頻度が少なくなり、耐久性が向上する。
【００１９】
また、上記一対のブラシ体の先端が相互に相手方へ入り込んでいるので、電線端末の保持がより確実となる。
【図面の簡単な説明】
【図１】本発明の一実施形態に係る布線用電線の仮保持具の分解斜視図である。
【図２】本仮保持具を用いた布線板の斜視図である。
【図３】複数の電線端末を保持した状態の上記仮保持具の要部拡大正面図である。
【図４】本発明の一実施形態に係る仮保持具の要部拡大図である。
【図５】従来の仮保持具の概略正面図である。
【符号の説明】
３    フォーク（支持体）
６，７  弾性ブラシ体
１６，１７  先端
１８  保持溝
３０  電線
３１  電線端末
３２  端子
【図１】
0003546569.tif 000002
【図２】
0003546569.tif 000003
【図３】
0003546569.tif 000004
【図４】
0003546569.tif 000005
【図５】
0003546569.tif 000006